(57)【要約】      （修正有）【課題】足蹴りや拳突きの加撃練習を、練習する人の身長や練習の技に合わせて、能率的に且つ安全に行える闘技スポーツ用加撃練習器を提供する。【解決手段】闘技スポーツ用加撃練習器は、床面に立設させる支柱１と、支柱１の下端に固着した支持台２と、天井に当接させる当接板３と、当接板３に上端を固着させると共に支柱１に下端を固着させた伸縮可能な伸縮部材４と、支柱１に設置すると共に弾力性を有した被加撃棒５と、から少なくとも構成する。また支柱１に複数の挿入穴１１を穿設し、挿入穴１１に被加撃棒５を挿入して設置させても良く、挿入穴１１に被加撃棒５を貫通し、被加撃棒５の端部に抜け止め部材を取付けるのが好ましい。或いは被加撃棒５の端部に吸盤を取付けて設置高さを可変可能にするものとしても良い。更に支持台２と当接板３のそれぞれに、滑り止め部材６を取付けておくのが好ましい。【選択図】図１
0003235387.tif 000002
【実用新案登録請求の範囲】
【請求項１】
床面に立設させる支柱（１）と、該支柱（１）の下端に固着した支持台（２）と、天井に当接させる当接板（３）と、該当接板（３）に上端を固着させると共に前記支柱（１）に下端を固着させた伸縮可能な伸縮部材（４）と、前記支柱（１）に設置すると共に弾力性を有した被加撃棒（５）と、から少なくとも構成したことを特徴とする闘技スポーツ用加撃練習器。
【請求項２】
前記支柱（１）に複数の挿入穴（11）を穿設し、該挿入穴（11）に前記被加撃棒（５）を挿入して設置させた請求項１記載の闘技スポーツ用加撃練習器。
【請求項３】
前記被加撃棒（５）が前記挿入穴（11）に貫通し、その端部に抜け止め部材（51）を取付けた請求項２記載の闘技スポーツ用加撃練習器。
【請求項４】
前記被加撃棒（５）の端部に吸盤（７）を取付けた請求項１記載の闘技スポーツ用加撃練習器。
【請求項５】
前記被加撃棒（５）の端部に連結部材（８）を取付けると共に該連結部材（８）を前記支柱（１）に両面粘着テープ（９）で固定した請求項１記載の闘技スポーツ用加撃練習器。
【請求項６】
前記被加撃棒（５）の端部に連結部材（８）を取付けると共に該連結部材（８）に磁石（10）を設け、且つ、前記支柱（１）の表面に鉄板（12）を取付けた請求項１記載の闘技スポーツ用加撃練習器。
【請求項７】
前記支持台（２）と前記当接板（３）のそれぞれに、滑り止め部材（６）を取付けた請求項１記載の闘技スポーツ用加撃練習器。
【考案の詳細な説明】
【技術分野】
【０００１】
本考案は闘技スポーツ用加撃練習器に関する。
【背景技術】
【０００２】
従来、足蹴りや拳突きの加撃練習を能率的に且つ安全に行える闘技スポーツ用加撃練習器として、実開昭６３-１２２４６３号が提案されている。この構造は、加撃に伴う衝撃を回動自在に枢支された支持動作環と、立設した縦フレームに回動可能に設けられている横フレームと、緩衝スプリングや連結フレームと、連結フレームの端面に取付けるミットやパンチボールの被加撃物と、から構成されている。
【先行技術文献】
【特許文献】
【０００３】
【特許文献１】実開昭６３-１２２４６３号公報
【考案の概要】
【考案が解決しようとする課題】
【０００４】
しかしながら、実開昭６３-１２２４６３号は、構造が複雑で高価なものであると共に、打つ、突く、蹴る等の攻撃を加える打突練習を行うと、打突の都度に大きな打突音を生じ易いため、近隣に騒音の迷惑をかける恐れがあった。
【０００５】
本考案は足蹴りや拳突きの加撃練習を、練習する人の身長や練習の技に合わせて、能率的に且つ安全に行える闘技スポーツ用加撃練習器を提供することを目的とする。
【課題を解決するための手段】
【０００６】
本考案は上記現状に鑑みて成されたものであり、つまり、床面に立設させる支柱と、該支柱の下端に固着した支持台と、天井に当接させる当接板と、該当接板に上端を固着させると共に支柱に下端を固着させた伸縮可能な伸縮部材と、支柱に設置すると共に弾力性を有した被加撃棒と、から少なくとも構成する。また前記支柱に複数の挿入穴を穿設し、該挿入穴に被加撃棒を挿入して設置させても良く、且つ、挿入穴に貫通し、その被加撃棒の突出した端部に抜け止め部材を取付けるのが好ましい。又、前記被加撃棒の端部に吸盤，磁石，両面粘着テープを取付けて設置高さを可変可能にするものとしても良い。更に前記支持台と当接板のそれぞれに、滑り止め部材を取付けておくのが好ましい。
【考案の効果】
【０００７】
請求項１のように床面に立設させる支柱（１）と、該支柱（１）の下端に固着した支持台（２）と、天井に当接させる当接板（３）と、該当接板（３）に上端を固着させると共に支柱（１）に下端を固着させた伸縮可能な伸縮部材（４）と、支柱（１）に設置すると共に弾力性を有した被加撃棒（５）と、から少なくとも構成することにより、練習する人の身長や練習の技に合わせて足蹴りや拳突きの加撃練習を、能率的に且つ安全に行える。また被加撃棒（５）が弾力性を有しているため、大きな打突音や大きな振動が極めて小さくなり、近隣に騒音の迷惑をかける恐れがなくなった。また本考案品は、練習後、邪魔にならない場所へ簡単に移動できると共に収納が簡単で且つインテリアとしても利用することができる。
【０００８】
請求項２のように支柱（１）に複数の挿入穴（11）を穿設し、該挿入穴（11）に被加撃棒（５）を挿入して設置させることにより、練習する人の身長や練習の技に合わせて足蹴りや拳突きの加撃練習を能率的に且つ安全に行える位置に、被加撃棒（５）が確実に設置できる。又、複数の挿入穴（11）に加撃棒（５）を設置することにより、上段，中段，下段の練習が連続して行える。
【０００９】
請求項３に示すように被加撃棒（５）が挿入穴（11）に貫通し、その端部に抜け止め部材（51）を取付けることにより、加撃練習時、被加撃棒（５）に予想以上の衝撃力が加わっても、被加撃棒（５）が抜ける恐れがなく練習できる。又、複数の挿入穴（11）に加撃棒（５）を設置することにより、上段，中段，下段の練習が連続して行える。
【００１０】
請求項４に示すように被加撃棒（５）の端部に吸盤（７）を取付けることにより、練習する人の身長や練習の技に合わせて足蹴りや拳突きの加撃練習を能率的に且つ安全に行える位置に、被加撃棒（５）が容易に且つ素早く設置できる。又、支柱（１）に複数の加撃棒（５）を設置することにより、上段，中段，下段の練習が連続して行える。
【００１１】
請求項５のように被加撃棒（５）の端部に連結部材（８）を取付けると共に該連結部材（８）を支柱（１）に両面粘着テープ（９）で固定することにより、請求項４と同様な効果が得られる。
【００１２】
請求項６のように被加撃棒（５）の端部に連結部材（８）を取付けると共に該連結部材（８）に磁石（10）を設け、且つ、支柱（１）の表面に鉄板（12）を取付けることにより、請求項４と同様な効果が得られる。
【００１３】
請求項７のように支持台（２）と当接板（３）のそれぞれに、滑り止め部材（６）を取付けることにより、加撃練習時に被加撃棒（５）に予想以上の衝撃力が加わっても、練習器全体が安定して設置できる。
【図面の簡単な説明】
【００１４】
【図１】本考案の実施形態の要部を示す斜視図である。
【図２】本実施形態の縦断面を示す説明図である。
【図３】別実施形態の要部を示す説明図である。
【図４】実施形態の被加撃棒が支柱に設置される別方法を示す説明図である。
【図５】実施形態の被加撃棒が支柱に設置される別方法を示す説明図である。
【考案を実施するための形態】
【００１５】
本考案の実施形態を図１、図２に基づいて説明する。（１）は床面に立設させる支柱であり、該支柱（１）には、後述する被加撃棒（５）が挿入される挿入穴（11）を複数穿設している。又、支柱（１）は合成樹脂で角柱状に形成されるのが好ましいが、角柱状以外に円柱状のものとしても良く、且つ、合成樹脂以外に木製などのものを用いても良い。更に支柱（１）の大きさとしては、１０×１０ｍｍの角柱で、その長さは１９００〜２０００ｍｍとするのが好ましい。尚、支柱（１）の大きさや長さは上記の範囲に限定されるものではない。
【００１６】
（２）は支柱（１）の下端に固着した合成樹脂製や木製の支持台である。尚、支持台（２）の材質は合成樹脂製や木製に限定されるものではない。また支持台（２）の形状は、円形、角形、或いは他の形状でも良い。又、支持台（２）の大きさとしては、１００〜２００ｍｍとするのが好ましい。（３）は天井に当接させる合成樹脂製の当接板であり、該当接板（３）には天井に固定するための取付穴（31）が穿設されている。（４）は上端を当接板（３）に固着させると共に下端を支柱（１）側に固着させた伸縮可能な伸縮部材であり、該伸縮部材（４）には図２に示すように、上端を当接板（３）に固着すると共に外周にネジ山を設けた可動軸（41）と、該可動軸（41）のネジ山が螺合されるネジ穴を有した軸受（42）とがあり、その軸受（42）は支柱（１）の上端に固着されている。
【００１７】
（５）は支柱（１）の挿入穴（11）に挿入して設置させると共に弾力性を有した被加撃棒であり、該被加撃棒（５）の長さとしては、５００〜１０００ｍｍとするのが好ましく、材質としては、スポンジ，軟質な合成樹脂，ゴムなどが好ましい。また前記被加撃棒（５）を挿入穴（11）に貫通し、その端部に抜け止め部材（51）を図２に示すように取付けておくと良い。この抜け止め部材（51）としては、固定クリップや合成樹脂製薄板に切欠部を設けその切欠部で被加撃棒（５）の外周を挟持させるタイプのものなどを用いると良い。この抜け止め部材（51）は必ずしも必要ではない。
【００１８】
（６）は支持台（２）と当接板（３）のそれぞれに、取付けた滑り止め部材であり、該滑り止め部材（６）の材質としては、スポンジ，軟質な合成樹脂，ゴムなどを用いると良い。尚、前記滑り止め部材（６）は必ずしも必要ではない。
【００１９】
図３は別実施形態の要部を示す図であり、これは前記実施形態と比べ、支柱（１）には挿入穴（11）がなく、伸縮部材（４）の構造が異なると共に、被加撃棒（５）の端部には吸盤（７）が取付けられている。前記伸縮部材（４）の構造について詳細に説明する。前記伸縮部材（４）には、上端を当接板（３）に固着する可動軸（41）と、該可動軸（41）が挿入される軸受（42）と、可動軸（41）を押し上げるバネ（43）と、前記軸受（42）の側面で且つ上下方向に設けた長穴（42a）と、該長穴（42a）と摺動し且つ可動軸（41）に固着したピン（44）と、がある。
【００２０】
図４は実施形態の被加撃棒（５）を支柱（１）に固定する別方法を示す図であり、これは前記実施形態と比べ、支柱（１）には挿入穴（11）がなく、被加撃棒（５）の端部には連結部材（８）を取付けると共に該連結部材（８）を両面粘着テープ（９）で支柱（１）に固定するものである。
又、図５も実施形態の被加撃棒（５）を支柱（１）に固定する別方法を示す図であり、これは前記実施形態と比べ、支柱（１）には挿入穴（11）がなく、被加撃棒（５）の端部には連結部材（８）を取付けると共に該連結部材（８）に磁石（10）を設け、且つ、支柱（１）の表面に鉄板（12）を取付け、磁石（10）の着磁力で固定させるものである。
【００２１】
次に本考案の使用方法について説明する。先ず始めに本考案品を設置する。この場合は、先ず練習する場所に本考案品を置き、可動軸（41）を回転して伸長させる。そして当接板（３）が天井に当接するまで可動軸（41）を回転し続ける。これで本考案品が設置されるのである。この時、当接板（３）の取付穴（31）に、図示しない固定ネジなどで天井に固定させても良い。又、本考案品全体を上下に反転させて設置することができる。反転させて使用すると、低い位置で伸縮部材（４）の長さを調節することができる。
【００２２】
図３に示す伸縮部材（４）を使用して本考案品を設置する場合は、可動軸（41）を収縮させた状態で保持させるための図示しない収縮保持部材を解除すると、当接板（３）は可動軸（41）を介してバネ（43）によって押し上げられ、当接板（３）が天井に当接されると共にバネ（43）によって押圧し続けられる。これで本考案品は設置されるのである。
【００２３】
次に本考案品を用いて練習する場合は、練習する人の身長や練習の技に合わせた高さの挿入穴（11）に被加撃棒（５）を貫通し、その端部に抜け止め部材（51）を取付ける。この時、複数の挿入穴（11）に被加撃棒（５）を貫通させ、上段，中段，下段の練習を連続できるようにしても良い。
【００２４】
また図３に示す被加撃棒（５）の端部に吸盤（７）が取付けられたものを使用する場合は、練習する人の身長や練習の技に合わせた高さの支柱（１）の表面に、吸盤（７）を取付けて被加撃棒（５）を設置させる。この時、複数の被加撃棒（５）を支柱（１）の表面に吸着させ、上段，中段，下段の練習を連続できるようにしても良い。これで本考案品は設置されるのである。
又、図４に示す被加撃棒（５）の端部に連結部材（８）を取付けると共に該連結部材（８）を支柱（１）に両面粘着テープ（９）で固定させて使用しても良い。更に図５に示す被加撃棒（５）の端部に連結部材（８）を取付けると共に該連結部材（８）に磁石（10）を設け、且つ、支柱（１）の表面に鉄板（12）を取付けた場合は、練習する人の身長や練習の技に合わせた高さの支柱（１）の表面に、被加撃棒（５）を移動させて押付ければ設置できる。
【００２５】
次に本考案の作用について説明する。設置された被加撃棒（５）を足蹴りすると、被加撃棒（５）は基部が曲がる。この時、被加撃棒（５）に加わった衝撃力は、スポンジ等の材質によって吸収されるため、大きな打突音や大きな振動が極めて小さなものとなる。又、設置された被加撃棒（５）を拳突きすると、被加撃棒（５）は上記同様に基部が曲がる。この時、被加撃棒（５）に加わった衝撃力は、上記同様にスポンジ等の材質によって吸収されると共に滑り止め部材（６）でも吸収するため、大きな打突音や大きな振動が極めて小さなものとなる。
また本考案品は、被加撃棒（５）を複数の高さに設置できるので、子供から大人まで利用でき、且つ、練習する人の身長や練習の技に合わせた高さで、足蹴りや拳突きの加撃練習を行うことが出来るため、正確な突き，打撃，蹴り等の攻撃を加える打突練習が能率的に且つ安全に加撃練習が行えるものとなる。更に複数の被加撃棒（５）を支柱（１）に設置させて、一人で上段，中段，下段の練習を連続して行うことができる。
【００２６】
尚、本考案品は、武道，空手，テコンド，ボクシング等の闘技スポーツの練習に用いるだけではなく、例えば、クラッシックバレーなどで足を上げる高さ目標として利用することも可能であり、更に足を振り上げる練習、例えばサッカー，ラグビー，各種陸上競技などで使用しても良い。
【符号の説明】
【００２７】
１  支柱
11  挿入穴
２  支持台
３  当接板
４  伸縮部材
５  被加撃棒
６  滑り止め部材
７  吸盤
８  連結部材
９  両面粘着テープ
10  磁石
12  鉄板
【図１】
0003235387.tif 000003
【図２】
0003235387.tif 000004
【図３】
0003235387.tif 000005
【図４】
0003235387.tif 000006
【図５】
0003235387.tif 000007